(57)【特許請求の範囲】
【請求項１】
無端円筒状のフィルム基材の外周面に繊維を植毛してなり、自由形状において円筒形状を成し且つ弾性変形可能である清掃部材と、
前記清掃部材の外部に配置され、前記清掃部材が回転する被清掃部材の表面と接触部で接触して従動回転するよう当該清掃部材を支持するとともに、前記接触部における前記フィルム基材が弾性変形するように前記被清掃部材の表面に向かって当該清掃部材を押圧する支持押圧部材と、
を備え、
前記繊維は、無端円筒状のフィルム基材の外周面に当該繊維の先端が前記清掃部材の回転方向に沿った上流側へ向けて傾斜した状態で植毛されている清掃装置。
【請求項２】
前記支持押圧部材は、少なくとも前記被清掃部材の回転方向において、前記清掃部材の下流側に配置される第１の規制部と、前記被清掃部材の表面と対向するように前記清掃部材の外径よりも小さい間隙を介して配置される第２の規制部を有することを特徴とする請求項１に記載の清掃装置。
【請求項３】
前記支持押圧部材は、前記清掃部材の外周面と接触する接触面積を低減させる接触面積低減部を有することを特徴とする請求項１又は２に記載の清掃装置。
【請求項４】
無端円筒状のフィルム基材の外周面に繊維を植毛してなり、自由形状において円筒形状
を成し且つ弾性変形可能である清掃部材と、
前記清掃部材の外部に配置され、前記清掃部材が回転する被清掃部材の表面と接触部で
接触して従動回転するよう当該清掃部材を支持するとともに、前記接触部における前記フ
ィルム基材が弾性変形するように前記被清掃部材の表面に向かって当該清掃部材を押圧す
る支持押圧部材と、
を備え、
前記繊維は、無端円筒状のフィルム基材の外周面に当該繊維の先端が前記清掃部材の回
転方向に沿った上流側へ向けて傾斜した状態で植毛されており、
前記支持押圧部材は、少なくとも前記被清掃部材の回転方向において、前記清掃部材の
下流側に配置される第１の規制部と、前記被清掃部材の表面と対向するように前記清掃部
材の外径よりも小さい間隙を介して配置される第２の規制部を有するとともに、
前記支持押圧部材は、前記清掃部材の外周面と接触する接触面積を低減させる接触面積
低減部を有し、
前記接触面積低減部は、前記支持押圧部材の少なくとも前記第１の規制部、又は前記第
２の規制部に設けられた複数の凹凸からなることを特徴とする清掃装置。
【請求項５】
無端円筒状のフィルム基材の外周面に繊維を植毛してなり、自由形状において円筒形状
を成し且つ弾性変形可能である清掃部材と、
前記清掃部材の外部に配置され、前記清掃部材が回転する被清掃部材の表面と接触部で
接触して従動回転するよう当該清掃部材を支持するとともに、前記接触部における前記フ
ィルム基材が弾性変形するように前記被清掃部材の表面に向かって当該清掃部材を押圧す
る支持押圧部材と、
を備え、
前記繊維は、無端円筒状のフィルム基材の外周面に当該繊維の先端が前記清掃部材の回
転方向に沿った上流側へ向けて傾斜した状態で植毛されており、
前記支持押圧部材は、少なくとも前記被清掃部材の回転方向において、前記清掃部材の
下流側に配置される第１の規制部と、前記被清掃部材の表面と対向するように前記清掃部
材の外径よりも小さい間隙を介して配置される第２の規制部を有するとともに、
前記支持押圧部材は、前記清掃部材の外周面と接触する接触面積を低減させる接触面積
低減部を有し、
前記接触面積低減部は、前記支持押圧部材の少なくとも前記第１の規制部、又は前記第
２の規制部に設けられた複数の貫通穴からなることを特徴とする清掃装置。
【請求項６】
前記繊維は、導電性繊維からなり、前記フィルム基材の外周面に導電性接着剤を介して植毛されていることを特徴とする請求項１乃至５のいずれかに記載の清掃装置。
【請求項７】
前記清掃部材は、前記繊維を植毛した植毛領域と前記繊維を植毛しない非植毛領域とを前記清掃部材の長手方向に沿って有し、且つ前記清掃部材が１回転したとき前記被清掃部材の長手方向に沿った被清掃領域の全域が少なくとも１回は前記植毛領域と接触するよう前記植毛領域を配置したことを特徴とする請求項１乃至６のいずれかに記載の清掃装置。
【請求項８】
静電潜像を保持する像保持体と、
前記像保持体の表面を帯電する帯電ロールと、
前記像保持体又は前記帯電ロールの少なくとも一方の表面を清掃する清掃手段とを備え、
前記清掃手段として請求項１乃至７のいずれかに記載の清掃装置を用いたことを特徴とする画像形成装置。
【発明の詳細な説明】
【技術分野】
【０００１】
この発明は、清掃装置及び画像形成装置に関する。
【背景技術】
【０００２】
清掃装置に関する技術としては、例えば、特許文献１〜３等に開示されたものが既に提案されている。特許文献１は、被清掃体の表面に当接して該表面に付着したトナーを除去するクリーニングブラシを備えたクリーニング装置において、５０〜２００ｇの重量を有するクリーニングブラシを被清掃体の表面に自重により接触させて従動回転させ、クリーニングブラシのブラシの繊維が、被清掃体の表面との接触により、該被清掃体の表面に付着したトナーの帯電極性と逆極性に摩擦帯電する材料により構成したものである。
【０００３】
特許文献２は、芯金の外周に少なくとも弾性層を設けてなり、像担持体表面を帯電させる帯電ローラの表面をクリーニングする帯電ローラクリーニング機構であって、該帯電ローラクリーニング機構は、繊維の太さが０．１〜２０デニール、繊維の長さが０．３〜２．５ｍｍ、繊維の密度が７，０００〜４６，０００本／ｃｍ２である導電性のブラシローラを備え、該導電性ブラシローラは、該帯電ローラにバイアスが印加されるとき、該帯電ローラと同電位にする機構を有するよう構成したものである。
【０００４】
特許文献３は、電子写真感光体の周囲に、帯電手段と、現像手段と、転写手段と、除電手段と、が順次配置された画像形成装置において、前記帯電手段は接触式の帯電装置であるとともに、前記転写手段と除電手段との間には、前記電子写真感光体表面の粒子をならすための均一化手段が配置されるよう構成したものである。
【先行技術文献】
【特許文献】
【０００５】
【特許文献１】特開２００３−２２８２６４号公報
【特許文献２】特開２００４−２６４６１９号公報
【特許文献３】特開２００７−１２１８８４号公報
【発明の概要】
【発明が解決しようとする課題】
【０００６】
この発明が解決しようとする課題は、清掃部材を被清掃部材に向かって押圧させ、弾性変形させない場合に比較して、清掃部材と被清掃部材が接触する面積を増加させることである。
【課題を解決するための手段】
【０００７】
請求項１に記載された発明は、無端円筒状のフィルム基材の外周面に繊維を植毛してなり、自由形状において円筒形状を成し且つ弾性変形可能である清掃部材と、
前記清掃部材の外部に配置され、前記清掃部材が回転する被清掃部材の表面と接触部で接触して従動回転するよう当該清掃部材を支持するとともに、前記接触部における前記フィルム基材が弾性変形するように前記被清掃部材の表面に向かって当該清掃部材を押圧する支持押圧部材と、
を備え、
前記繊維は、無端円筒状のフィルム基材の外周面に当該繊維の先端が前記清掃部材の回転方向に沿った上流側へ向けて傾斜した状態で植毛されている清掃装置である。
【０００８】
請求項２に記載された発明は、前記支持押圧部材は、少なくとも前記被清掃部材の回転方向において、前記清掃部材の下流側に配置される第１の規制部と、前記被清掃部材の表面と対向するように前記清掃部材の外径よりも小さい間隙を介して配置される第２の規制部を有することを特徴とする請求項１に記載の清掃装置である。
【０００９】
請求項３に記載された発明は、前記支持押圧部材は、前記清掃部材の外周面と接触する接触面積を低減させる接触面積低減部を有することを特徴とする請求項１又は２に記載の清掃装置である。
【００１０】
請求項４に記載された発明は、無端円筒状のフィルム基材の外周面に繊維を植毛してなり、自由形状において円筒形状
を成し且つ弾性変形可能である清掃部材と、
前記清掃部材の外部に配置され、前記清掃部材が回転する被清掃部材の表面と接触部で
接触して従動回転するよう当該清掃部材を支持するとともに、前記接触部における前記フ
ィルム基材が弾性変形するように前記被清掃部材の表面に向かって当該清掃部材を押圧す
る支持押圧部材と、
を備え、
前記繊維は、無端円筒状のフィルム基材の外周面に当該繊維の先端が前記清掃部材の回
転方向に沿った上流側へ向けて傾斜した状態で植毛されており、
前記支持押圧部材は、少なくとも前記被清掃部材の回転方向において、前記清掃部材の
下流側に配置される第１の規制部と、前記被清掃部材の表面と対向するように前記清掃部
材の外径よりも小さい間隙を介して配置される第２の規制部を有するとともに、
前記支持押圧部材は、前記清掃部材の外周面と接触する接触面積を低減させる接触面積
低減部を有し、
前記接触面積低減部は、前記支持押圧部材の少なくとも前記第１の規制部、又は前記第
２の規制部に設けられた複数の凹凸からなることを特徴とする清掃装置である。
【００１１】
請求項５に記載された発明は、無端円筒状のフィルム基材の外周面に繊維を植毛してなり、自由形状において円筒形状を成し且つ弾性変形可能である清掃部材と、
前記清掃部材の外部に配置され、前記清掃部材が回転する被清掃部材の表面と接触部で接触して従動回転するよう当該清掃部材を支持するとともに、前記接触部における前記フィルム基材が弾性変形するように前記被清掃部材の表面に向かって当該清掃部材を押圧する支持押圧部材と、
を備え、
前記繊維は、無端円筒状のフィルム基材の外周面に当該繊維の先端が前記清掃部材の回転方向に沿った上流側へ向けて傾斜した状態で植毛されており、
前記支持押圧部材は、少なくとも前記被清掃部材の回転方向において、前記清掃部材の下流側に配置される第１の規制部と、前記被清掃部材の表面と対向するように前記清掃部材の外径よりも小さい間隙を介して配置される第２の規制部を有するとともに、
前記支持押圧部材は、前記清掃部材の外周面と接触する接触面積を低減させる接触面積低減部を有し、
前記接触面積低減部は、前記支持押圧部材の少なくとも前記第１の規制部、又は前記第２の規制部に設けられた複数の貫通穴からなることを特徴とする清掃装置である。
【００１２】
請求項６に記載された発明は、前記繊維は、導電性繊維からなり、前記フィルム基材の外周面に導電性接着剤を介して植毛されていることを特徴とする請求項１乃至５のいずれかに記載の清掃装置である。
【００１３】
請求項７に記載された発明は、前記清掃部材は、前記繊維を植毛した植毛領域と前記繊維を植毛しない非植毛領域とを前記清掃部材の長手方向に沿って有し、且つ前記清掃部材が１回転したとき前記被清掃部材の長手方向に沿った被清掃領域の全域が少なくとも１回は前記植毛領域と接触するよう前記植毛領域を配置したことを特徴とする請求項１乃至６のいずれかに記載の清掃装置である。
【００１４】
請求項８に記載された発明は、静電潜像を保持する像保持体と、
前記像保持体の表面を帯電する帯電ロールと、
前記像保持体又は前記帯電ロールの少なくとも一方の表面を清掃する清掃手段とを備え、
前記清掃手段として請求項１乃至７のいずれかに記載の清掃装置を用いたことを特徴とする画像形成装置である。
【発明の効果】
【００１５】
請求項１に記載された発明によれば、清掃部材を被清掃部材に向かって押圧させ、弾性変形させない場合に比較して、清掃部材と被清掃部材が接触する面積を増加させることができる。
また、請求項１に記載された発明によれば、前記繊維は、無端円筒状のフィルム基材の外周面に当該繊維の先端が前記清掃部材の回転方向に沿った上流側へ向けて傾斜した状態で植毛されていない場合に比較して、掻き取り効果を向上させることができる。
【００１６】
請求項２に記載された発明によれば、支持押圧部材が第１及び第２の規制部を備えない場合に比較して、清掃部材を被清掃部材に確実に押圧させることができる。
【００１７】
請求項３に記載された発明によれば、支持押圧部材が、清掃部材の外周面と部分的に接触することで当該清掃部材との接触面積を低減させる接触面積低減部を有しない場合に比較して、清掃部材と支持押圧部材との接触抵抗を低減することができる。
【００１８】
請求項４に記載された発明によれば、支持押圧部材の内面に設けられた複数の凹凸からなる接触面積低減部を備えない場合に比較して、清掃部材と支持押圧部材との接触抵抗を低減することができる。
【００１９】
請求項５に記載された発明によれば、支持押圧部材に設けられた複数の貫通穴からなる接触面積低減部を備えない場合に比較して、清掃部材と支持押圧部材との接触抵抗を低減することができる。
【００２０】
請求項６に記載された発明によれば、繊維が絶縁性繊維からなる場合に比較して、導電性繊維に通電することが可能となる。
【００２１】
請求項７に記載された発明によれば、清掃部材が繊維を植毛した植毛領域と繊維を植毛しない非植毛領域とを有していない場合に比較して、清掃部材と支持押圧部材との接触抵抗を低減することができる。
【００２２】
請求項８に記載された発明によれば、清掃部材を被清掃部材に向かって押圧させない場合に比較して、清掃部材と被清掃部材が接触する面積を増加させることができる。
【図面の簡単な説明】
【００２３】
【図１】この発明の実施の形態１に係る清掃装置を適用した画像形成装置を示す構成図である。
【図２】この発明の実施の形態１に係る画像形成装置の画像形成部を示す構成図である。
【図３】清掃装置を示す拡大構成図である。
【図４】導電性繊維の植毛状態を示す説明図である。
【図５】フィルム基材を示す模式図である。
【図６】比較例における帯電ロールと清掃部材との接触状態を示す模式図である。
【図７】比較例における清掃装置を示す構成図である。
【図８】実験例及び比較例の結果を示す図表である。
【図９】この発明の実施の形態２に係る清掃装置を示す構成図である。
【図１０】支持押圧部材をそれぞれ示す構成図である。
【図１１】この発明の実施の形態３に係る清掃装置を示す構成図である。
【図１２】支持押圧部材をそれぞれ示す構成図である。
【図１３】実験例及の結果を示す図表である。
【図１４】この発明の実施の形態４に係る清掃装置を示す構成図である。
【図１５】この発明の実施の形態５に係る清掃装置を示す構成図である。
【図１６】この発明の実施の形態５に係る清掃装置を示す構成図である。
【図１７】この発明の実施の形態６に係る清掃装置を適用した画像形成装置を示す構成図である。
【発明を実施するための形態】
【００２４】
以下に、この発明の実施の形態について図面を参照して説明する。
【００２５】
[実施の形態１]
図１及び図２はこの発明の実施の形態１に係る清掃装置を適用した画像形成装置を示す構成図である。図１はその画像形成装置の全体の概要を示し、図２はその画像形成装置における要部（作像装置など）を拡大して示している。
【００２６】
＜画像形成装置の全体の構成＞
実施の形態１に係る画像形成装置１は、例えばモノクロプリンタとして構成されたものである。この画像形成装置１は、画像データに基づいて記録媒体に画像を形成する画像形成手段の一例としての画像形成部２を備えている。
【００２７】
画像形成部２は、現像剤を構成するトナーで現像されるトナー像を形成する作像装置１０と、作像装置１０で形成されるトナー像を記録媒体の一例としての記録用紙５に転写する転写装置２０と、転写装置２０の転写位置Ｔに供給すべき所要の記録用紙５を収容して搬送する給紙装置５０と、転写装置２０で転写された記録用紙５上のトナー像を定着させる定着装置４０等を備えている。なお、図１中、符号１ａは支持構造部材、外装カバー等で形成される装置本体を示している。
【００２８】
作像装置１０は、ブラック（Ｋ）色のトナー像を専用に形成する一つの作像装置で構成されている。この作像装置１０は、装置本体１ａの内部空間において所要位置に配置されている。
【００２９】
作像装置１０は、図１に示されるように、回転する像保持体の一例としての感光体ドラム１１を備えており、この感光体ドラム１１の周囲に、次のような各装置が主に配置されている。主な装置とは、感光体ドラム１１の像形成が可能な周面（像保持面)を所要の電位に帯電させる帯電装置１２と、感光体ドラム１１の帯電された周面に画像の情報（信号）に基づく光ＬＢを照射して電位差のある静電潜像を形成する静電潜像形成手段としての露光装置１３と、その静電潜像をブラック色（Ｋ）の現像剤のトナーで現像してトナー像にする現像手段の一例としての現像装置１４と、転写後における感光体ドラム１１の像保持面に残留して付着するトナー等の付着物を取り除いて清掃するドラム清掃装置１５等である。
【００３０】
感光体ドラム１１は、接地処理される円筒状又は円柱状の基材の周面に感光材料からなる光導電性層（感光層）を有する像保持面を形成したものである。この感光体ドラム１１は、図示しない回転駆動装置から動力が伝達されて矢印Ａで示す方向に回転可能に支持されている。
【００３１】
帯電装置１２は、感光体ドラム１１の周面に接触した状態で配置される帯電ロールを備えた接触型の帯電装置で構成される。帯電装置１２は、金属製の芯金１２１の外周に導電性を有する合成樹脂や合成ゴム等からなる導電層１２２を被覆したロール形状に形成されている。帯電装置１２には帯電用高圧電源１２３によって帯電用電圧が印加される。帯電用電圧としては、現像装置１４が反転現像を行うものである場合、その現像装置１４から供給されるトナーの帯電極性と同じ極性の電圧又は電流が供給される。帯電装置１２としては、画像形成装置１の小型化に伴い、小型、小径のものが用いられる傾向にある。帯電装置１２を構成する帯電ロールとしては、例えば、Ａ３サイズ用の画像形成装置１では外径１２ｍｍ程度、Ａ４サイズ用の画像形成装置１では外径９ｍｍ程度のものが用いられる。また、帯電装置１２は、被清掃部材としての帯電ロールの表面を清掃する清掃装置３０を備えている。なお、清掃装置３０の構成については、後述する。
【００３２】
露光装置１３は、画像形成装置１に入力される画像の情報に応じて構成される光（矢付破線）ＬＢを、帯電された後の感光体ドラム１１の周面に対して照射して静電潜像を形成するものである。露光装置１３には、潜像形成時になると画像形成装置１に任意の手段で入力される画像の情報（信号）が送信される。
【００３３】
現像装置１４は、図２に示されるように、開口部と現像剤４の収容室が形成された筐体１４０の内部に、現像剤４を保持して感光体ドラム１１と向き合う現像領域まで搬送する現像ロール１４１と、現像剤４を撹拌しながら現像ロール１４１を通過させるよう搬送する図示しないスクリューオーガー等の撹拌搬送部材１４２，１４３と、一方の撹拌搬送部材１４２が収容された第１の収容室と他方の撹拌搬送部材１４３が収容された第２の収容室を仕切る仕切り壁１４４と、現像ロール１４１に保持される現像剤の量（層厚）を規制する層厚規制部材１４５などを配置して構成されたものである。この現像装置１４には、その現像ロール１４１と感光体ドラム１１の間に現像用電圧が図示しない電源装置から供給される。また、現像ロール１４１や撹拌搬送部材１４２，１４３は、図示しない回転駆動装置からの動力が伝達されて所要の方向に回転する。さらに、上記現像剤４としては、非磁性トナーと磁性キャリアを含む二成分現像剤が使用される。なお、図１中、符号１４６は現像装置１４に少なくともトナーを含む現像剤を供給する現像剤供給装置を模式的に示したものである。
【００３４】
転写装置２０は、転写位置Ｔにおいて感光体ドラム１１の周面に接触し回転するとともに転写用電圧が供給される転写ロールを備えた接触型の転写装置である。転写用電圧としては、トナーの帯電極性と逆の極性を示す直流の電圧が図示しない電源装置から供給される。
【００３５】
ドラム清掃装置１５は、図２に示されるように、図示しない容器状の本体の内部に配置されて残留トナー等の付着物を取り除いて清掃する清掃板１５１を備え、清掃板１５１で残留トナー等の付着物を回収して容器状の本体内部に収容するよう構成されている。清掃板１５１としては、ゴム等の材料からなる板状の部材（例えばブレード）が使用される。
【００３６】
定着装置４０は、表面温度が予め定められた温度に保持されるよう加熱手段によって加熱されるロール形態又はベルト形態の加熱用回転体４１と、この加熱用回転体４１に所要の圧力で接触して回転するロール形態又はベルト形態の加圧用回転体４２などを配置して構成されたものである。この定着装置４０では、加熱用回転体４１と加圧用回転体４２が接触する接触部が所要の定着処理（加熱及び加圧）を行う定着処理部となる。
【００３７】
給紙装置５０は、装置本体１ａの下方側の位置に存在するように配置される。この給紙装置５０は、所望のサイズ、種類等の記録用紙５を積載した状態で収容する単数（又は複数）の用紙収容体５１と、用紙収容体５１から記録用紙５を１枚ずつ送り出す送出装置５２ａ，５２ｂとで主に構成されている。用紙収容体５１は、例えば、装置本体１ａの正面（使用者が操作時に向き合う側面）側に引き出すことができるように取り付けられている。
【００３８】
給紙装置５０と転写装置２０との間には、給紙装置５０から送り出される記録用紙５を転写位置Ｔまで搬送する複数の用紙搬送ロール対５３，５４や搬送ガイド材５５で構成される給紙搬送路５６が設けられている。給紙搬送路５６において転写位置Ｔの直前の位置に配置される用紙搬送ロール対５４は、例えば記録用紙５の搬送時期を調整するロール（レジストロール）として構成されている。
【００３９】
転写装置２０の下流側には、当該転写装置２０によりトナー像が転写された記録用紙５を定着装置４０へと搬送する搬送ガイド材５６が配置されている。また、定着装置４０の入口には、記録用紙５を加熱用回転体４１と加圧用回転体４２が接触する定着処理部へと案内する入口ガイド部材４３が、その出口には、定着処理が施された記録用紙５を案内する出口ガイド部材４４，４５がそれぞれ設けられている。
【００４０】
定着装置４０の下流側には、当該定着装置４０によりトナー像が定着された記録用紙５を、装置本体１ａの上部に配置された用紙排出部５７に排出するための用紙排出ロール５８を備えた用紙排出搬送路５９が設けられている。
【００４１】
図１中、符号１００は、画像形成装置１の動作を制御する制御装置を示している。
【００４２】
＜画像形成装置の基本的な動作＞
以下、画像形成装置１による基本的な画像形成動作について説明する。
【００４３】
前記作像装置１０を使用して、ブラック色（Ｋ）のトナー像からなるモノクロ画像を形成するときの画像形成動作を説明する。
【００４４】
画像形成装置１は、画像形成動作（プリント）の要求の指令情報を受けると、作像装置１０、転写装置２０、定着装置４０等が始動する。
【００４５】
そして、作像装置１０においては、まず感光体ドラム１１が矢印Ａで示す方向に回転し、帯電ロール１２が感光体ドラム１１の表面を所要の極性（実施の形態１ではマイナス極性）及び電位に帯電させる。続いて、露光装置１３が、帯電後の感光体ドラム１１の表面に対し、画像形成装置１に入力される画像の信号に基づいて発光される光ＬＢを照射し、その表面に所要の電位差で構成される静電潜像を形成する。
【００４６】
続いて、現像装置１４が、感光体ドラム１１に形成された静電潜像に対し、所要の極性（マイナス極性）に帯電されたトナーを供給して静電的に付着させて現像を行う。この現像により、感光体ドラム１１に形成された静電潜像は、トナーで現像されたトナー像として顕像化される。
【００４７】
続いて、作像装置１０の感光体ドラム１１上に形成されたトナー像が転写位置Ｔまで搬送されると、転写装置２０が、そのトナー像を記録用紙５に対して転写させる。
【００４８】
また、転写が終了した作像装置１０では、ドラム清掃装置１５が感光体ドラム１１の表面に残留するトナー等の付着物を掻き取るように除去して感光体ドラム１１の表面を清掃する。これにより、作像装置１０は次の作像動作が可能な状態にされる。
【００４９】
一方、給紙装置５０では、作像動作に合わせて所要の記録用紙５を給紙搬送路５６に送り出す。給紙搬送路５６では、レジストロールとしての用紙搬送ロール対５４が記録用紙５を転写時期に合わせて転写位置Ｔに送り出して供給する。
【００５０】
続いて、トナー像が転写された記録用紙５は、搬送ガイド材５６を介して定着装置４０まで搬送される。定着装置４０では、回転する加熱用回転体４１と加圧用回転体４２との間の定着処理部に入口ガイド部材４３を介して転写後の記録用紙５を導入して通過させることにより、必要な定着処理（加熱及び加圧）をして未定着のトナー像を記録用紙５に定着させる。最後に、定着が終了した後の記録用紙５は、用紙排出搬送路５９を介して用紙排出ロール５８により、例えば画像形成装置１の上部に設けられた用紙排出部５７に排出される。
【００５１】
以上の動作により、モノクロの画像が片面に形成された記録用紙５が出力される。
【００５２】
＜清掃装置の構成＞
図３はこの発明の実施の形態１に係る清掃装置を示す構成図である。実施の形態１に係る清掃装置は、被清掃部材の一例として帯電ロールの表面を清掃するよう構成したものである。
【００５３】
清掃装置３０は、図３に示されるように、無端円筒状のフィルム基材３１の外周面に繊維の一例としての導電性繊維３２が密に植毛されてなる清掃部材３３と、清掃部材３３が帯電ロール１２の表面に接触して従動回転するよう当該清掃部材３３を支持するとともに、接触部におけるフィルム基材３１が帯電ロール１２の表面に沿った形状に弾性変形するよう当該清掃部材３３を押圧する支持押圧部材３４とを備えている。フィルム基材３１は、図５に示されるように、例えば、外力が作用しない自由形状が外径Ｄの円筒形状となるよう形成される。フィルム基材３１は、必ずしも導電性を有することが要求されず、絶縁性の材料からなるフィルム部材をそのまま使用することができる。フィルム基材３１の材料としては、例えば、ポリエチレンテレフタレート、ポリアミド、ポリイミド、ポリアミドイミド、ポリエチレン、ポリカーボネート、ポリウレタン、ポリフッ化ビリニデン、ポリエチレンナフタレート、ポリエーテルケトン、ポリエーテルサルフォン、ポリフェニレンサルファイド、ＰＦＡ、ＥＴＦＥ、ＣＴＦＥ等のフッ素系樹脂などの合成樹脂、あるいはシリコーンゴム、エチレンプロピレンジエンゴム、エチレンプロピレンゴム、ブチルゴム、アクリルゴム、ウレタンゴム、ニトリルゴム等の合成ゴムを挙げることができる。この実施の形態では、フィルム基材３１としてポリエチレンテレフタレートからなる円筒形状のフィルムを用いている。
【００５４】
なお、フィルム基材３１は、上述した合成樹脂や合成ゴム等の材料から直接的に無端円筒状に形成しても勿論よいが、結果的に無端円筒状に形成されれば良い。このフィルム基材３１としては、例えば、上述した合成樹脂や合成ゴム等の材料を所定の幅を有するテープ状に形成した後、当該テープ状に形成された材料を円筒状又は円柱状の部材に螺旋状に隙間無く巻き付けることで、結果的に無端円筒状に形成されたものを用いても良い。
【００５５】
また、フィルム基材３１の厚さは、特に限定されるものではないが、被清掃部材としての帯電ロール１２の回転に追従して回転可能な可撓性を有するものである。フィルム基材３１は、円筒形状に形成された場合であっても可撓性を有しない場合、帯電ロール１２の表面に接触したときに当該帯電ロール１２の回転方向に沿った表面形状（円弧状）に倣った形状に変形することができず、帯電ロール１２表面との接触が不十分となる虞れがある。この実施の形態では、外径が１０〜１２ｍｍの円筒形状に形成された相対的に厚さが薄い５０μｍ程度の厚さを有するポリエチレンテレフタレート製のフィルム基材３１を用いている。
【００５６】
フィルム基材３１の外周面には、導電性繊維３２が密に植毛されている。導電性繊維３２としては、例えば、ナイロン、レーヨンまたはポリエステル等の合成樹脂にカーボンブラック等の導電材料を分散させたものを紡糸することによって体積抵抗率が調整された合成樹脂製の繊維を用いることができる。この実施の形態では、導電性繊維３２としてカーボンブラックを分散させたナイロン製の繊維を採用している。導電性繊維３２の体積抵抗率は、例えば１０３〜１０１０Ω・ｃｍに設定される。体積抵抗率が１０２Ω・ｃｍ以下であると導電性繊維３２に清掃用の電圧を印加した場合に火花放電が発生し易く、体積抵抗率が１０１１Ω・ｃｍ以上であると清掃用の電圧を印加した場合にドット状の清掃不良が生じ易い。この実施の形態では、体積抵抗率が１０６〜１０７Ω・ｃｍ程度の導電性繊維３２を用いている。
【００５７】
また、導電性繊維３２の長さは、例えば、０．５〜２．０ｍｍ程度に設定される。導電性繊維３２の太さは、例えば、０．５〜１０ｄ程度に設定される。この実施の形態では、太さ２ｄの導電性繊維３２を用いている。また、導電性繊維３２の植毛密度は、例えば、１０〜２０万本／ｉｎｃｈ２に設定されるが、これに限定されるものではない。
【００５８】
導電性繊維３２は、図４に示されるように、フィルム基材３１の外周にアクリル系、ウレタン系、エポキシ系等の導電性接着剤３５を塗布した状態で、静電植毛によって略均一な密度となるよう植毛される。導電性繊維３２は、フィルム基材３１の外周面に略垂直に植毛しても良いが、導電性繊維３２による掻き取り効果を考慮し、導電性繊維３２の先端３２ａを清掃部材３３の回転方向Ｂに沿った上流側に向けて傾斜した状態若しくは回転方向Ｂに沿った方向と略平行に寝た状態で植毛している。ただし、導電性繊維３２をフィルム基材３１の外周面に略垂直、又は導電性繊維３２の先端３２ａを清掃部材３３の回転方向Ｂに沿った下流側に向けて傾斜した状態で植毛しても良い。
【００５９】
なお、導電性繊維３２は、その先端３２ａが清掃部材３３の回転方向Ｂに沿った上流側に向けて傾斜した状態で直接植毛しても良いが、導電性繊維３２をフィルム基材３１の外周面に略垂直に植毛した後、機械的な力及び／又は熱を加えることによって、その先端３２ａが清掃部材３３の回転方向Ｂに沿った上流側に向けて傾斜した状態となるように植毛しても良い。また、導電性繊維を用いると繊維自体の帯電に起因した繊維へのトナーや外添剤の付着を防止しやすいが、絶縁性繊維を用いてもよい。
【００６０】
支持押圧部材３４は、例えば、合成樹脂等の絶縁性の材料により清掃部材３３の外周を囲むように帯電ロール１２側の面が開口した断面矩形の枠体状に形成されている。支持押圧部材３４は、図３に示されるように、帯電ロール１２の回転方向Ｂに沿った下流側に配置され、清掃部材３３が帯電ロール１２の回転方向Ｂに沿った下流側へ移動するのを規制する第１の規制部としての平板状に形成された第１の規制板部３４ａと、帯電ロール１２の表面と対向するよう配置され、清掃部材３３を帯電ロール１２の表面に向けて押圧するよう規制する第２の規制部としての平板状に形成された第２の規制板部３４ｂと、帯電ロール１２の回転方向Ｂに沿った上流側に配置され、清掃部材３３の脱落を規制する第３の規制部としての平板状に形成された第３の規制板部３４ｃを備えている。
【００６１】
また、第２の規制板部３４ｂは、帯電ロール１２表面との間隙Ｇが清掃部材３３の自由形状（円筒形状）における外径Ｄ（図５参照）よりも小さく（Ｄ＞Ｇ）設定されており、第２の規制板部３４ｂの内面が清掃部材３３に当接することで、上述したように清掃部材３３を帯電ロール１２の表面に向けて押圧するよう配置されている。第２の規制板部３４ｂにより押圧される清掃部材３３は、当該押圧に伴って帯電ロール１２の外周面に沿った形状に弾性変形し、帯電ロール１２の外周面に対して所要の接触幅Ｗを以て圧接する。
【００６２】
ところで、この清掃装置３０は、清掃部材３３を帯電ロール１２の表面に対して押圧しない場合、図６に示されるように、清掃部材３３が帯電ロール１２の表面に接触する接触幅が狭い。特に、画像形成装置１の小型化に伴って小径の帯電ロール１２を使用した場合には、清掃部材３３と帯電ロール１２表面との接触幅を十分確保することができず、トナーや外添剤等の付着物が帯電ロール１２の表面に多量に付着したとき、クリーニング不良が発生する虞れを有していた。特に、かかるトナーや外添剤のクリーニング不良は、ドラム清掃装置１５を備えない所謂クリーナーレス方式を採用した画像形成装置１において顕著に発生する。
【００６３】
そこで、この実施の形態では、上述したように、清掃部材３３を支持押圧部材３４によって帯電ロール１２の表面に押圧させるように構成している。このように構成することで、清掃部材３３のフィルム基材３１を帯電ロール１２の表面形状に倣った形状に弾性変形させ、清掃部材３０のフィルム基材３１を所要の接触幅Ｗをもって帯電ロール１２の表面に接触させるように構成している。
【００６４】
＜画像形成装置の特徴部分の動作＞
画像形成装置１は、上述したように、画像形成動作（プリント）の要求の指令情報を受けると、作像装置１０、転写装置２０、定着装置４０等が始動する。
【００６５】
そして、作像装置１０においては、まず感光体ドラム１１が矢印Ａで示す方向に回転し、帯電装置１２が感光体ドラム１１の表面を所要の極性（実施の形態１ではマイナス極性）及び電位に帯電する。
【００６６】
その際、帯電装置１２を構成する帯電ロールは、図３に示されるように、感光体ドラム１１の表面に接触した状態で従動回転することにより、当該感光体ドラム１１の周面を所要の極性及び電位に帯電する。帯電ロール１２は、感光体ドラム１１の表面に接触した状態で従動回転するため、感光体ドラム１１の表面に付着してドラム清掃装置１５を擦り抜けたトナーやシリカ等からなるトナーの外添剤などの付着物が、当該帯電ロール１２の外周面に付着し堆積しやすい。
【００６７】
帯電ロール１２の外周面にトナーや外添剤などの付着物が付着し堆積すると、帯電ムラ等の帯電不良の原因となる。そのため、帯電装置１２は、帯電ロールの表面を清掃する清掃装置３０を備えている。
【００６８】
清掃装置３０は、清掃部材３３を支持押圧部材３４によって帯電ロール１２の表面に押圧するよう支持している。このように構成することで、清掃部材３３のフィルム基材３１は、帯電ロール１２の表面形状に倣った形状に弾性変形し、清掃部材３３のフィルム基材３１が所要の接触幅Ｗをもって帯電ロール１２の表面に接触する。そのため、清掃装置３０では、押圧しない場合と比較して、当該清掃部材３３と帯電ロール１２表面とが接触する接触面積が拡大するとともに、押圧に伴う摩擦力を作用させ、清掃部材３３に従動不良が発生するのを防止乃至抑制する。その結果、清掃部材３３は、帯電ロール１２の回転に伴って従動回転することで、帯電ロール１２の表面に付着したトナーやトナーの外添剤等の付着物を効率よく除去して清掃し、帯電ロール１２による感光体ドラム１１表面の帯電不良が発生するのを防止乃至抑制する。
【００６９】
＜実験例１＞
次に、本発明者らは、上記実施の形態に係る清掃装置３０を適用した画像形成装置１の効果を確認するため、図２に示されるような作像装置１０を備えたベンチモデルを試作し、清掃装置３０の清掃部材３３を支持押圧部材３４により帯電ロール１２の表面に対して押圧するよう構成し、Ａ４サイズの記録用紙５に対して画像密度５％にて５０ＫＰＶ（５万枚）の通紙テストを行い、定期的に中間調の画像をプリントして、清掃装置３０の清掃部材３３による帯電ロール１２表面のクリーニング不良に起因した画質欠陥を確認する実験を行った。
【００７０】
＜比較例１＞
また、比較例１として図７に示されるように、円柱形状の回転軸の外周にブラシを植毛したクリーニングブラシ３８をバネによって押圧し帯電ロール１２の表面に接触するように配置した清掃装置３０を用い、Ａ４サイズの記録用紙５に対して画像密度５％にて５０ＫＰＶ（５万枚）の通紙テストを行い、定期的に中間調の画像をプリントして、清掃装置３０の帯電ロール１２に対する狭ニップ幅に起因した帯電ロール１２表面のクリーニング不良に起因した画質欠陥を目視により確認した。
【００７１】
図８は実験例１及び比較例１の結果を示す図表である。
【００７２】
図８に示されるように、清掃装置３０の清掃部材３３を支持押圧部材３４により帯電ロール１２の表面に対して押圧するよう構成した実験例では、清掃部材３３が帯電ロール１２の表面に対して相対的に広いニップ幅で接触して良好に従動回転し、帯電ロール１２の表面にトナーや外添剤等からなる付着物が付着するのが防止乃至抑制され、クリーニング不良は未発生であった。
【００７３】
これに対して、比較例１の場合には、図８に示されるように、清掃部材３３の帯電ロール１２表面に対するニップ幅が狭く、帯電ロール１２の表面にトナーや外添剤等の付着物が残留し、クリーニング不良が発生した。
【００７４】
[実施の形態２]
図９はこの発明の実施の形態２に係る清掃装置を示す構成図である。
【００７５】
この実施の形態２では、図９に示されるように、支持押圧部材３４が、清掃部材３３の外周面と部分的に接触することで当該清掃部材３３との接触面積を低減させる接触面積低減部を有するように構成されている。また、この接触面積低減部としては、支持押圧部材３４の内面に設けられた複数の凹凸からなるものが用いられている。
【００７６】
更に説明すると、この実施の形態２では、支持押圧部材３４の第１及び第２の規制板部３４ａ，３４ｂの内面に、円柱形状や角柱形状の凸部３６が清掃部材３３の長手方向及び周方向に沿って複数設けられるよう構成されている。なお、図中、凸部３６が設けられていない領域が凹部に相当する。
【００７７】
このように、上記実施の形態２では、支持押圧部材３４の第１及び第２の規制板部３４ａ，３４ｂの内面に複数の凸部３６が設けられているため、これらの第１及び第２の規制板部３４ａ，３４ｂの内面と清掃部材３３との接触面積が低減する。そのため、この実施の形態２では、第１及び第２の規制板部３４ａ，３４ｂの内面と清掃部材３３との接触抵抗が減少し、支持押圧部材３４によって清掃部材３３を帯電ロール１２の表面に押圧した場合であっても、清掃部材３３に従動不良が発生するのが防止乃至抑制される。
【００７８】
また、清掃部材３３の表面に植毛された導電性繊維３２は、第１及び第２の規制板部３４ａ，３４ｂの内面に設けられた複数の凸部３６に接触することにより、当該導電性繊維３２に付着したトナーやトナーの外添剤等の付着物が掻き落とされ、トナーや外添剤等の導電性繊維３２に対するフィルミング、或いは帯電ロール１２の表面に対するフィルミングが発生するのが長期間にわたり抑制される。
【００７９】
なお、支持押圧部材の第１及び第２の規制板部３４ａ，３４ｂに設けられる複数の凹凸３６としては、円柱形状や角柱形状の凸部に限定されるものではなく、図１１（ａ）  （ｂ）に示されるように、清掃部材３３の長手方向に沿って長尺に形成された複数本の凸部３６などを用いても良く、その形状は任意に設定される。
【００８０】
その他の構成及び作用は、前記実施の形態１と同様であるので、その説明を省略する。
【００８１】
[実施の形態３]
図１１はこの発明の実施の形態３に係る清掃装置を示す構成図である。
【００８２】
この実施の形態３では、図１１に示されるように、接触面積低減部として、支持押圧部材に設けられた複数の貫通穴からなるものを備えるように構成されている。
【００８３】
更に説明すると、この実施の形態３では、図１２（ａ）に示されるように、支持押圧部材３４の第１及び第２の規制板部３４ａ，３４ｂに、清掃部材３３の長手方向に沿って細長く形成された貫通穴３７が、清掃部材３３の回転方向に沿って複数設けられている。
【００８４】
このように、上記実施の形態３では、支持押圧部材３４の第１及び第２の規制板部３４ａ，３４ｂに複数の貫通穴３７が設けられているため、これらの第１及び第２の規制板部の３４ａ，３４ｂ内面と清掃部材３３との接触面積が低減される。そのため、この実施の形態３では、第１及び第２の規制板部３４ａ，３４ｂの内面と清掃部材３３との接触抵抗が減少し、支持押圧部材３４によって清掃部材３３を帯電ロール１２の表面に押圧した場合であっても、清掃部材３３に従動不良が発生するのが防止乃至抑制される。
【００８５】
また、清掃部材３３の表面に植毛された導電性繊維３２は、第１及び第２の規制板部３４ａ，３４ｂに設けられた複数の貫通穴３７のエッジ部に接触することにより、当該導電性繊維３２に付着したトナーやトナーの外添剤等の付着物が掻き落とされ、トナーや外添剤等の導電性繊維３２に対するフィルミング、或いは帯電ロール１２の表面に対するフィルミングが発生するのが長期間にわたり抑制される。
【００８６】
図１２（ｂ）〜（ｅ）は支持押圧部材の第１及び第２の規制板部に設けられる複数の貫通穴の他の実施形態をそれぞれ示すものである。
【００８７】
支持押圧部材の第１及び第２の規制板部３４ａ，３４ｂに設けられる複数の貫通穴としては、図１２（ｂ）に示されるように、清掃部材３３の回転方向に沿って細長い矩形状に形成された貫通穴３７を、清掃部材３３の長手方向に沿って複数設けたものが用いられる。
【００８８】
また、支持押圧部材の第１及び第２の規制板部に設けられる複数の貫通穴としては、図１２（ｃ）に示されるように、清掃部材３３の長手方向に沿って傾斜した状態で細長い矩形状に形成された貫通穴を用いても良い。
【００８９】
さらに、支持押圧部材３４の第１及び第２の規制板部３４ａ，３４ｂに設けられる複数の貫通穴としては、図１２（ｄ）（ｅ）に示されるように、第１及び第２の規制板部３４ａ，３４ｂに一様に設けられる平面円形状や平面三角形状等の貫通穴３７を用いるように構成しても良い。
【００９０】
＜実験例２〜４＞
次に、本発明者らは、上記実施の形態１，２，３に係る清掃装置３０を適用した画像形成装置１の効果を確認するため、図２に示されるような作像装置１０を備えたベンチモデルを試作し、清掃装置３０の清掃部材３３を支持押圧部材３４により帯電ロール１２の表面に対して押圧するよう構成し、Ａ４サイズの記録用紙５に対して画像密度５％にて実験例１よりも多い１００ＫＰＶ（１０万枚）の通紙テストを行い、定期的に中間調の画像をプリントして、清掃部材３３の支持押圧部材３４の内壁との摩擦による従動不良に起因して清掃部材３３の導電性繊維３２の表面に発生するフィルミング及び帯電ロールの表面に発生するフィルミングに起因する画質欠陥を目視により確認する実験を行った。
【００９１】
また、実験例２は、図３に示される実施の形態１に係る清掃装置３０を、実験例３は、図９及び図１０（ａ）に示される実施の形態２に係る清掃装置３０を、実験例４は、図１１及び図１２（ａ）に示される実施の形態３に係る清掃装置３０をそれぞれ使用した。
【００９２】
図１３は実験例２〜４の結果を示す図表である。
【００９３】
図１３から明らかなように、実施の形態１に係る帯電装置１２を用いた実験例２では、支持押圧部材３４の内壁との摩擦による従動不良に起因した導電性繊維及び帯電ロールの表面に対するフィルミングが若干発生したが、実使用上は問題のないレベルであった。
【００９４】
これに対して、実施の形態２，３に係る帯電装置１２を用いた実験例３，４では、支持押圧部材３４の内壁との摩擦による従動不良に起因した導電性繊維及び帯電ロール１２の表面に対するフィルミングが未発生であり、良好な結果が得られることが判った。
【００９５】
その他の構成及び作用は、前記実施の形態１と同様であるので、その説明を省略する。
【００９６】
[実施の形態４]
図１４はこの発明の実施の形態４に係る清掃装置を示す構成図である。
【００９７】
この実施の形態４は、図１４に示されるように、清掃装置３０の導電性繊維３２に清掃用の電圧を印加するように構成したものである。支持押圧部材３４の第１の規制板部３４ａには、清掃部材３３の導電性繊維３２に接触する導電性材料からなる電圧印加手段の一例としての給電部材３８が設けられている。この給電部材３８は、電圧印加手段の一例としての清掃用高圧電源３９に接続されている。
【００９８】
このように、清掃部材３３に給電部材３８を介して清掃用高圧電源３９によって高電圧を印加することにより、清掃部材３３を帯電ロール１２の表面に静電的に吸着させ、清掃部材３３の従動不良がより防止乃至抑制される。
【００９９】
その他の構成及び作用は、前記実施の形態１と同様であるので、その説明を省略する。
【０１００】
[実施の形態５]
図１５及び図１６はこの発明の実施の形態５に係る清掃装置を示す構成図である。
【０１０１】
この実施の形態５に係る清掃部材３３は、図１５及び図１６に示されるように、繊維３２を植毛した植毛領域３１１と繊維３２を植毛しない非植毛領域３１２とを清掃部材３３の長手方向に沿って有し、且つ清掃部材３３が１回転したとき被清掃部材としての帯電ロール１２の長手方向に沿った被清掃領域の全域が少なくとも１回は植毛領域３１１と接触するよう植毛領域３１１を配置したものである。ここで、被清掃領域とは、清掃部材３３に植毛されている導電性繊維３２が帯電ロール１２の表面に接触する領域をいう。なお、非植毛領域３１２では、フィルム基材３１が表面に露出している。
【０１０２】
更に説明すると、清掃部材３３は、その外周面において長手方向に沿った１本の直線Ｌ上の領域をみた場合、当該直線Ｌ上において植毛領域３１１と非植毛領域３１２とがそれぞれ少なくとも１箇所以上存在するように、植毛領域３１１及び非植毛領域３１２が設けられている。また、清掃部材３３が１回転する間に帯電ロール１２の長手方向に沿ったすべての清掃領域が少なくとも１回は、植毛領域３１１と接触するように当該植毛領域３１１が配置されている。図１５の実施の形態では、植毛領域３１１が清掃部材３３の外周面に長手方向（軸方向）に沿って螺旋状に位置するよう構成されている。植毛領域３１１は、例えば、清掃部材３３の軸方向に沿って幅が例えば１５ｍｍで、且つ巻き付け角度が３０度となるよう螺旋状に植毛されている。その結果、清掃部材３３は、導電性繊維３２が植毛された植毛領域３１１と、導電性繊維３２が植毛されない非植毛領域３１２とが、軸方向に沿って必ず存在し、しかも清掃部材３３が１回転する間に帯電ロール１２の長手方向に沿ったすべての清掃領域が少なくとも１回は植毛領域３１１と接触するよう当該植毛領域３１１が配置されている。
【０１０３】
また、図１６に示される清掃部材３３は、植毛領域３１１と非植毛領域３１２とが清掃部材３３の周方向及び軸方向に沿って交互に位置するように構成されている。
【０１０４】
このように、上記実施の形態５では、非植毛領域３１２が設けられているため、第１及び第２の規制部材３４ａ，３４ｂの内面と清掃部材３３との接触面積が低減される。そのため、この実施の形態５では、第１及び第２の規制部材３４ａ，３４ｂの内面と清掃部材３３との接触抵抗を減少させ、支持押圧部材３４によって清掃部材３３を帯電ロール１２の表面に押圧した場合であっても清掃部材３３に従動不良が発生するのが防止乃至抑制される。
【０１０５】
その他の構成及び作用は、前記実施の形態１と同様であるので、その説明を省略する。
【０１０６】
[実施の形態６]
図１７はこの発明の実施の形態６に係る清掃装置を示す構成図である。
【０１０７】
この実施の形態６は、図１７に示されるように、被清掃部材として帯電ロール１２ではなく、感光体ドラム１１に適用するよう構成したものである。ドラム清掃装置１５は、清掃板１５１とは別に又は清掃板１５１とともに清掃部材３３を備えている。この清掃部材３３は、前記実施の形態と同様に、無端円筒状のフィルム基材３１の外周面に繊維の一例としての導電性繊維３２が密に植毛されてなる清掃部材３３と、清掃部材３３が感光体ドラム１１の表面に接触して従動回転するよう当該清掃部材３３を支持するとともに、接触部におけるフィルム基材３１が感光体ドラム１１の表面に沿った形状に弾性変形するよう当該清掃部材３３を押圧する支持押圧部材３４とを備えている。
【０１０８】
その他の構成及び作用は、前記実施の形態１と同様であるので、その説明を省略する。
【符号の説明】
【０１０９】
１…画像形成装置
１２…帯電ロール
３０…清掃装置
３１…フィルム基材
３２…導電性繊維
３３…清掃部材
【図１】
0006492475.tif 000002
【図２】
0006492475.tif 000003
【図３】
0006492475.tif 000004
【図４】
0006492475.tif 000005
【図５】
0006492475.tif 000006
【図６】
0006492475.tif 000007
【図７】
0006492475.tif 000008
【図８】
0006492475.tif 000009
【図９】
0006492475.tif 000010
【図１０】
0006492475.tif 000011
【図１１】
0006492475.tif 000012
【図１２】
0006492475.tif 000013
【図１３】
0006492475.tif 000014
【図１４】
0006492475.tif 000015
【図１５】
0006492475.tif 000016
【図１６】
0006492475.tif 000017
【図１７】
0006492475.tif 000018